(57)【要約】      （修正有）【課題】眼の寄せ運動について、加齢に因る外眼筋の筋力低下や或いは身体発達途上における外眼筋の筋力達成不足に着目し、プリズムを付加することで輻力湊の不足をいくらか補い、快適な見え方を提供する。【解決手段】両視線を含む平面及びそれに平行な平面上で入射した光を単一な方向に曲げるプリズムｍを片眼或いは両眼の前方に装着出来る所謂跳ね上げ眼鏡であり、また跳ね上げ前枠に装着されたプリズムｍと眼の間に視力補正用のレンズｒを装着出来る構造を持った跳ね上げ眼鏡を含む。【選択図】図４
2007219461.tif 000002
【特許請求の範囲】
【請求項１】
レンズを保持し跳ね上げ可能な前枠と眼前の所定の位置にそのレンズ入リ前枠を据え付けるためのフレームからなる所謂跳ね上げ眼鏡において、ガラス素材やプラスティク樹脂素材からなるプリズムを１個あるいは１対以上跳ね上げ前枠のレンズ保持部に嵌め込み、左右両視線を含む同一平面上及びそれに平行な平面上で入射光を限られた方向に屈折させる機能を持った跳ね上げ眼鏡。
【請求項２】
レンズを保持し跳ね上げ可能な前枠と眼前の所定の位置にそのレンズ入リ前枠を据え付けるためのフレームからなる所謂跳ね上げ眼鏡において、ガラス素材やプラスティク樹脂素材からなるプリズムを１個あるいは１対以上跳ね上げ前枠のレンズ保持部に嵌め込み、左右両視線を含む同一平面上及びそれに平行な平面上で入射光を限られた方向に屈折させる機能を持ったメガネであり、且つそのプリズムと目の間、若しくは目とプリズムの前方に１個あるいは１対以上の視力補正用レンズを嵌め込むことが可能になるレンズ保持部を持つ跳ね上げ眼鏡。
【発明の詳細な説明】
【技術分野】
【０００１】本発明は、内的あるいは外的な原因により、両視線を寄せる（寄り目をする）ことが困難な人に対して、プリズムを使用してあたかも両視線を寄せて近くを見る見え方を提供するメガネである。
【背景技術】
【０００２】従来の技術は見あたら無い。
【発明が解決しようとする課題】
【０００３】眼球にはカメラのレンズにあたる角膜と水晶体があり、また見たい物や記憶したい物の像を映すカメラのフィルムにあたる網膜がある。網膜には中心窩といわれる最も微細に正確に受像できるところがある。
眼球の外部には対象物、水晶体中心、網膜中心窩を結ぶ視線を見たい物に向けさせる外眼筋といわれる６本の筋肉があり、それぞれ外直筋、内直筋、上直筋、下直筋、上斜筋、下斜筋と呼ばれている。これらの筋肉の働きで上下左右、縦横に視線を移動して見たいものに視線を合わせることが出来る。
近い対象物に視線を合わせると、左右の瞳孔中心の位置は遠くを見るときの瞳孔中心の位置よりも鼻側に寄るようになり、これを輻湊というが、  これらの筋肉が充分に鍛えられなかったり、あるいは鍛えられた後にも経年変化のためにその筋肉が力を徐々に失っていったりして、そのために視線の稼動範囲が狭くなり、両目で近くの見たい物をしっかり見ることが出来ないケースが起こる。
【０００４】湊
本来はピント合わせと輻湊は相互に関連しており、近くのものをより良く見るためにピント合わせをすると自動的に視線が対象物に向くような働きを外眼筋が行う。従って輻湊が必要量出来なければ最も良く見える網膜上中心窩の位置に対象物の像を写す事もできなくなるため、受け取る像は不明瞭となり、それを良く見ようとして更に精神的に無理を重ね、それがまた眼にも脳にも負担になる。
【０００５】両視線を近くの見たい物にしっかりと合わせることが出来なければ、ものが二重に見えるような像の信号が脳に届けられたり、見辛いままの不鮮明な像の信号を網膜中心窩から脳が受け入れるか、あるいは両目で単一視することを諦めて、片目だけの信号を脳が受け入れるようになるおそれもある。
【０００６】その結果、目の疲れ、発熱、肩凝りや頭痛、めまい、吐き気などに悩まされることになり、或いは、片眼だけしか使わなくなれば、視力の低下など更に大きな問題となる。
【課題を解決するための手段】
【０００７】外眼筋の筋力不足や加齢に因る筋力の低化を補うために跳ね上げメガネにプリズムを用い、適時使用できるようにする。付加するプリズムは両視線を含む平面に平行な面上で入射光を単一方向に屈折させるものであり、両目が必要な輻湊を充分出来なくても、その不足をいくらか補うように光を屈折させ、対象物の像を網膜上の中心窩近くに映すことが出来る。以下本発明を図示する。
【実施例】
【００１０】図１−１に示されるものは両眼で対象物を見るときの視線方向、水晶体、網膜中心窩の関係を表した水平断面模式図である。
遠くの物を見る時の、対象物ａ，水晶体ｂ、見たい物の像ａ’、網膜中心窩ｃの位置関係を表し視線ｄは対象物ａ  水晶体中心ｅ、網膜中心窩ｃを直線的に結んだ線と重なっていることがわかる【００１１】図１−２に示されるものは、正常な眼で近くの物を見る時の視線ｄ、対象物ｆ，水晶体ｂの厚みの変化、対象物の像ｆ’、網膜中心窩ｃの位置関係を表している。
これら２つの図から遠くの物を見るときは両視線を開き、近くのものを見るときには両視線を狭くして対象物の結像する位置を網膜上中心窩に合わせていることが分かる。【００１２】図２−１に示されるものは輻湊力が不足している両眼の視線方向、対象物、水晶体、網膜中心窩の関連を示す水平断面模式図である。近くの対象物ｇ，水晶体ｂ、対象物の像ｇ’、網膜中心窩ｃの位置関係と視線ｄを表している。あるべき視線ｊを想定すると対象物の像ｇ’が網膜中心窩よりも耳側に結像していることを表す。【００１３】図２−２に示されるものは眼前にプリズムを付加して輻湊力を補ったときの両眼の見え方の水平断面模式図である。プリズムｍで曲げられた視線ｉ、対象物ｈ、水晶体ｂ、網膜上の中心窩ｃ対象物の像ｈ’の関係を表している。
中心窩ｃと眼球中心ｏと水晶体中心ｅを通って、プリズムｍに至るまでの視線ｄの延長線ｋはプリズムの力が働かない時の視線方向を表しており、プリズムの力で近い所の対象物の像が網膜中心窩ｃに映っていることが解かる【００１４】図３に示されるものはプリズムｍを跳ね上げ部前枠ｎに挿入した眼鏡の斜視図である。跳ね上げ部前枠ｎはフレームｐに跳ね上げ機構部ｑを介して跳ね上げ可能な状態で取り付けられている。より近い所を見る時に跳ね上げ部前枠を下ろし、プリズムを通して対象物を見る。【００１５】図４に示されるものは跳ね上げ部ｎを取り付けているフレームｐ本体に視力補正用のレンズｒを取り付けた眼鏡の斜視図である。フレームｐにはナイロンコードｓを使用して視力補正用レンズｒを取り付けている。
遠方を見る時には跳ね上げ部前枠を跳ね上げて、フレーム本体に取り付けられた視力補正用レンズを使用し、近方を見る時には跳ね上げ部前枠を下ろし、プリズムを重ねた状態で使用する
【発明の効果】
【００１６】以上のように、本発明によるとこれまでは考慮されることが無かった眼の寄せ運動について、加齢に因る外眼筋の筋力低下や或いは身体発達途上における外眼筋の筋力達成不足に着目し、プリズムを付加することで輻力湊の不足をいくらか補い、快適な見え方を提供する。
これまで、視力補正用の眼鏡を掛ける必要性を認めなかった人でも、或いは視力補正用の眼鏡を使用しながらも、いまひとつ良く見えない、物が二重に見えるときがある、見え方がぼやけている、頭痛がする、不快感がある、肩こりがするなどの見ることに苦情を持たれている人に対して大きな助けとなる事が出来る
【図面の簡単な説明】
【図１−１】  説明図
【図１−２】  説明図
【図２−１】  説明図
【図２−２】  説明図
【図３】  本発明の実施例（１）の図
【図４】  本発明の実施例（２）の図
【符号の説明】
ａ・・・・対象物
ａ’・・・対象物の像
ｂ・・・・水晶体
ｃ・・・・網膜中心窩
ｄ・・・・視線
ｅ・・・・水晶体中心
ｆ・・・・対象物
ｆ’・・・対象物の像
ｇ・・・・対象物
ｇ’・・・対象物の像
ｈ・・・・対象物
ｈ’・・・対象物の像
ｉ・・・・視線
ｊ・・・・（説明のためのあるべき）視線
ｋ・・・・（説明のための）延長線
ｍ・・・・プリズム
ｎ・・・・跳ね上げ部前枠
ｏ・・・・眼球中心
ｐ・・・・フレーム
ｑ・・・・跳ね上げ機構部
ｒ・・・・視力補正用レンズ
ｓ・・・・ナイロンコード
【図１−１】
2007219461.tif 000003
【図１−２】
2007219461.tif 000004
【図２−１】
2007219461.tif 000005
【図２−２】
2007219461.tif 000006
【図３】
2007219461.tif 000007
【図４】
2007219461.tif 000008